(57)【要約】【課題】電気光学装置において、電気光学モジュールの歪みを十分に抑制する。【解決手段】電気光学モジュール２と、電気光学モジュール２を収容するケース３とを備える電気光学装置１Ａを提供する。電気光学モジュール２は、発光パネル２０と、集束性レンズアレイ６０と、発光パネル２０と集束性レンズアレイ６０に挟まれた光透過性のスペーサとを備える。ケース３は、集束性レンズアレイ６０のスペーサ７０とは反対側の第１接触面Ｓ１に接している第１部３１，４１と、電気光学パネル２０のスペーサ７０とは反対側の第２接触面Ｓ２に接している第２部３２，４２と、第１部３１，４１および第２部３２，４２をスペーサ７０側へ付勢する付勢部３３，４３とを有する。【選択図】図８
2008149463.tif 000002
【特許請求の範囲】
【請求項１】
電気光学モジュールと、
前記電気光学モジュールを収容するケースとを備え、
前記電気光学モジュールは、
与えられた電気エネルギにより発光特性または光の透過特性が変化する複数の電気光学素子を有し、前記複数の電気光学素子の各々からの光を射出する電気光学パネルと、
前記電気光学パネルから進行する光を透過させて前記電気光学パネル上の像に対する正立像を結像可能な屈折率分布型レンズが一方向に複数配列され、複数の前記屈折率分布型レンズで得られた像が１つの連続した像を構成する集束性レンズアレイと、
前記電気光学パネルと前記集束性レンズアレイに挟まれ、前記複数の電気光学パネルから進行する光を透過させるスペーサとを備え、
前記ケースは、
一部または全部が前記集束性レンズアレイの前記スペーサとは反対側の第１接触面に接している第１部と、
一部または全部が前記電気光学パネルの前記スペーサとは反対側の第２接触面に接している第２部と、
前記第１部および前記第２部を前記スペーサ側へ付勢する付勢部とを有する、
ことを特徴とする電気光学装置。
【請求項２】
前記第１接触面内の前記第１部に接している第１接触領域は、前記一方向に沿って続いており、
前記第２接触面内の前記第２部に接している第２接触領域は、前記一方向に沿って続いている、
ことを特徴とする請求項１に記載の電気光学装置。
【請求項３】
前記第１部および前記第２部は、それぞれ２つであり、
２つの前記第１接触領域は、複数の前記屈折率分布型レンズを挟んで対向しており、
２つの前記第２接触領域は、複数の前記屈折率分布型レンズを挟んで対向している、
ことを特徴とする請求項１に記載の電気光学装置。
【請求項４】
前記第１部と前記第２部と前記付勢部は一体であり、
前記付勢部は、弾性体を含み、前記弾性体の弾性力によって前記第１部および前記第２部を前記スペーサ側へ付勢する、
ことを特徴とする請求項１に記載の電気光学装置。
【請求項５】
前記第１部と前記第２部と前記付勢部は互いに別体であり、
前記付勢部は、前記第１部と前記第２部とを締結する締結具を含み、前記締結具による締結によって前記第１部および前記第２部を前記スペーサ側へ付勢する、
ことを特徴とする請求項１に記載の電気光学装置。
【請求項６】
前記第１部と前記第２部と前記付勢部は互いに別体であり、
前記付勢部は、弾性体を含み、前記弾性体の弾性力によって前記第１部および前記第２部を前記スペーサ側へ付勢する、
ことを特徴とする請求項１に記載の電気光学装置。
【請求項７】
前記ケースは遮光性を有する、
ことを特徴とする請求項１に記載の電気光学装置。
【請求項８】
前記スペーサと前記集束性レンズアレイの間に光透過性のオイルが充填されている、
ことを特徴とする請求項１に記載の電気光学装置。
【請求項９】
像担持体と、
前記像担持体を帯電する帯電器と、
前記電気光学パネルから進行して前記集束性レンズアレイを透過する光を、前記像担持体の帯電された面に照射して潜像を形成する請求項１ないし８のいずれか１項に記載の電気光学装置と、
前記潜像にトナーを付着させることにより前記像担持体に顕像を形成する現像器と、
前記像担持体から前記顕像を他の物体に転写する転写器と、
を備える画像形成装置。
【発明の詳細な説明】
【技術分野】
【０００１】
本発明は、例えば発光素子またはライトバルブ素子のような電気光学素子が配列された電気光学パネルを備えた電気光学装置、および、この電気光学装置を用いた画像形成装置に関する。
【背景技術】
【０００２】
電子写真方式の画像形成装置の像担持体（例えば感光体ドラム）に静電潜像を書き込むために、エレクトロルミネセント素子（以下、「ＥＬ素子」と呼ぶ）のアレイを使用する技術が開発されている。このような技術では、一般的に、ＥＬ素子アレイと像担持体の間に集束性レンズアレイが配置される。このような配置において、ＥＬ素子から発せられた光の損失を低減するために、ＥＬ素子アレイと集束性レンズアレイの間に光透過性のスペーサを配置する技術が、特許文献１に開示されている。
【０００３】
図１〜図３は、それぞれ、従来の画像形成装置の一部の概略を示す図であり、図１は斜視図、図２は側面図、図３は図２のＡ−Ａ線断面図である。この画像形成装置では、ＥＬ素子アレイが設けられた発光パネル２０と感光体ドラム１１０の間に、複数の屈折率分布型レンズ６２が二列千鳥状に配列された集束性レンズアレイ６０が配置され、発光パネル２０と集束性レンズアレイ６０の間に光透過性のスペーサ７０が配置されている。発光パネル２０、スペーサ７０および集束性レンズアレイ６０は、接着剤１１および１２を用いた接着によってモジュール化されている。以降、このモジュールを「電気光学モジュール」と呼ぶ。
【０００４】
通常、発光パネル２０は、発光パネル２０を収容するためのケース１４に収容される。発光パネル２０とケース１４は、例えば、両面テープ１３を用いて接着される。通常、スペーサ７０および集束性レンズアレイ６０はケース１４から露出しており、スペーサ７０の全部および集束性レンズアレイ６０の一部は、遮光性樹脂１５によって覆われている。遮光性樹脂１５は、不要光（ＥＬ素子アレイからの光以外の光）が屈折率分布型レンズ６２に入射するのを防止するために設けられている。
【０００５】
発光パネル２０のＥＬ素子アレイからの光は、スペーサ７０と集束性レンズアレイ６０の複数の屈折率分布型レンズ６２を透過し、感光体ドラム１１０に到達して像を結ぶ。結像の光学特性（例えば鮮明度）を十分に高くするために、感光体ドラム１１０と集束性レンズアレイ６０は、両者間の距離が、集束性レンズアレイ６０の像側の作動距離（設計値）Ｌに一致するように配置される。なお、集束性レンズアレイとしては、例えば日本板硝子株式会社から入手可能なＳＬ(セルフォック・レンズ・アレイ)がある（セルフォック＼ＳＥＬＦＯＣは日本板硝子株式会社の登録商標）。
【特許文献１】特開２００６−２１８８４８号公報
【発明の開示】
【発明が解決しようとする課題】
【０００６】
図４は、従来の画像形成装置の問題点を説明するための側面図である。この図においては、ケース１４および遮光性樹脂１５の図示を省略してある。集束性レンズアレイ６０、スペーサ７０および発光パネル２０の熱膨張率（熱膨張係数）はそれぞれ異なるから、電気光学モジュールは、内部の要素（例えばＥＬ素子）や外部の要素（例えば定着器）の発熱等に起因して自己の温度が変化すると、この図に示すように、歪んでしまう。
【０００７】
電気光学モジュールに歪み（「反り」や「うねり」等の変形）が生じると、発光パネル２０のＥＬ素子から発して集束性レンズアレイ６０の屈折率分布型レンズを透過した光が感光体ドラム１１０に到達する位置（結像位置ＩＰ）と、集束性レンズアレイ６０から感光体ドラム１１０側に集束性レンズアレイ６０の像側の作動距離Ｌだけ離れた位置（焦点位置ＦＰ）のズレが増大する。このズレが大きいと、結像の光学特性（例えば結像性能）が著しく悪化してしまう。
【０００８】
したがって、電気光学モジュールの歪みを、許容範囲内に抑制する必要がある。ここでいう許容範囲とは、この電気光学モジュールを用いる画像形成装置の仕様に基づいて定まる範囲である。しかし、従来の画像形成装置では、接着剤や両面テープがのびてしまうから、電気光学モジュールの歪みを十分に抑制することが困難である。
【０００９】
そこで、本発明は、電気光学モジュールの歪みを十分に抑制することが可能な電気光学装置、および、この電気光学装置を用いた画像形成装置を提供する。
【課題を解決するための手段】
【００１０】
本発明に係る電気光学装置は、電気光学モジュールと、前記電気光学モジュールを収容するケースとを備え、前記電気光学モジュールは、与えられた電気エネルギにより発光特性または光の透過特性が変化する複数の電気光学素子を有し、前記複数の電気光学素子の各々からの光を射出する電気光学パネルと、前記電気光学パネルから進行する光を透過させて前記電気光学パネル上の像に対する正立像を結像可能な屈折率分布型レンズが一方向に複数配列され、複数の前記屈折率分布型レンズで得られた像が１つの連続した像を構成する集束性レンズアレイと、前記電気光学パネルと前記集束性レンズアレイに挟まれ、前記複数の電気光学パネルから進行する光を透過させるスペーサとを備え、前記ケースは、一部または全部が前記集束性レンズアレイの前記スペーサとは反対側の第１接触面に接している第１部と、一部または全部が前記電気光学パネルの前記スペーサとは反対側の第２接触面に接している第２部と、前記第１部および前記第２部を前記スペーサ側へ付勢する付勢部とを有する、ことを特徴とする。
第１部、第２部および付勢部は、それぞれ一または複数である。第１部、第２部および付勢部がそれぞれ複数の場合、複数の第１部、複数の第２部、複数の付勢部は、１対１対１で対応付けられ、複数の付勢部の各々は、対応する第１部と対応する第２部をスペーサ側へ付勢する。
上記の電気光学装置によれば、集束性レンズアレイおよび電気光学パネルがそれぞれスペーサ側へ押し付けられるから、電気光学モジュールの歪みを十分に抑制することができる。なお、「歪み」は反りやうねり等の変形を意味する言葉である。電気光学モジュールの歪みとしては、温度変化による歪みや、電気光学モジュールの構成要素（電気光学パネル、スペーサ、集束性レンズアレイ等）の製造誤差による歪み、電気光学モジュールの製造時の接着剤の硬化応力による歪みを例示することができる。
【００１１】
上記の電気光学装置において、前記第１接触面内の前記第１部に接している第１接触領域は、前記一方向に沿って続いており、前記第２接触面内の前記第２部に接している第２接触領域は、前記一方向に沿って続いている、ようにしてもよい。この態様によれば、電気光学モジュールの反りを、より確実に、抑制することができる。
【００１２】
上記の電気光学装置において、前記第１部および前記第２部は、それぞれ２つであり、２つの前記第１接触領域は、複数の前記屈折率分布型レンズを挟んで対向しており、２つの前記第２接触領域は、複数の前記屈折率分布型レンズを挟んで対向している、ようにしてもよい。この態様によれば、電気光学モジュールのうねりを、より確実に、抑制することができる。
【００１３】
上記の電気光学装置において、前記第１部と前記第２部と前記付勢部は一体であり、前記付勢部は、弾性体を含み、前記弾性体の弾性力によって前記第１部および前記第２部を前記スペーサ側へ付勢する、ようにしてもよい。この態様によれば、ケースの構造を簡素とすることができる。この態様の最も簡素な構造は、第１部と第２部と付勢部が同一の部材の一部となっている構造（一体構造）である。
【００１４】
上記の電気光学装置において、前記第１部と前記第２部と前記付勢部は互いに別体であり、前記付勢部は、前記第１部と前記第２部とを締結する締結具を含み、前記締結具による締結によって前記第１部および前記第２部を前記スペーサ側へ付勢する、ようにしてもよい。この態様には、第１部と第２部と付勢部が一体の態様に比較して、ケースの形成材料の選択の自由度が高いという利点や、電気光学モジュールをケースに収容する作業や、電気光学モジュールをケースから取り出す作業が容易であるという利点がある。
【００１５】
上記の電気光学装置において、前記第１部と前記第２部と前記付勢部は互いに別体であり、前記付勢部は、弾性体を含み、前記弾性体の弾性力によって前記第１部および前記第２部を前記スペーサ側へ付勢する、ようにしてもよい。この態様には、第１部と第２部と付勢部が一体の態様に比較して、ケースの形成材料の選択の自由度が高いという利点や、電気光学モジュールをケースに収容する作業や、電気光学モジュールをケースから取り出す作業が容易であるという利点がある。なお、この態様には、第１部を付勢する弾性体と第２部を付勢する弾性体が同一の態様と、両者が異なっている形態が含まれている。前者の場合、弾性体は、第１部と第２部の間に架け渡され、第１部および第２部を引っ張ることになる。後者の場合、第１部を付勢する弾性体は第１部と外部の部材との間に架け渡されて第１部を押し、第２部を付勢する弾性体は第２部と外部の他の部材との間に架け渡されて第２部を押すことになる。
【００１６】
上記の電気光学装置において、前記ケースは遮光性を有する、ようにしてもよい。この態様によれば、専用の遮光部を設けることなく、集束性レンズアレイの屈折率分布型レンズへの不要光の入射を防止することができる。
【００１７】
上記の電気光学装置において、前記スペーサと前記集束性レンズアレイとの間に光透過性のオイルが充填されている、ようにしてもよい。この態様において電気光学パネルと集束性レンズアレイの相対位置がずれないのは、電気光学パネルおよび集束性レンズアレイがスペーサ側へ付勢されているからである。この態様によれば、スペーサと集束性レンズアレイを接着せずに済む。したがって、集束性レンズアレイの再利用性が向上する。
【００１８】
本発明に係る画像形成装置は、像担持体と、前記像担持体を帯電する帯電器と、前記電気光学パネルから進行して前記集束性レンズアレイを透過する光を、前記像担持体の帯電された面に照射して潜像を形成する上記の電気光学装置または上記の各態様に係る電気光学装置と、前記潜像にトナーを付着させることにより前記像担持体に顕像を形成する現像器と、前記像担持体から前記顕像を他の物体に転写する転写器と、を備える。この画像形成装置によれば、電気光学モジュールの歪みによって結像の光学特性（例えば結像性能）が著しく悪化してしまう事態を回避することができる。
【発明を実施するための最良の形態】
【００１９】
以下、添付の図面を参照しながら本発明の実施の形態を説明する。本発明は、その実施の形態を変形して得られる変形例をも範囲に含む。なお、図面においては、各部の寸法の比率は実際のものとは適宜に異ならせてある。また、図面において、Ｘ方向、Ｙ方向、Ｚ方向は互いに直交する向きである。
【００２０】
＜電気光学装置＞
＜第１の実施の形態＞
まず、本発明の第１の実施の形態に係る電気光学装置１Ａについて説明する。この電気光学装置１Ａでは、集束性レンズアレイに接する第１部と、電気光学パネルに接する第２部と、両部をスペーサ側へ付勢する付勢部が、一体構造になっている。以下、詳細に説明する。
【００２１】
＜構成＞
電気光学装置１Ａは、一方向に長い装置であり、電子写真方式を利用した画像形成装置における像担持体に潜像を書き込むためのライン型の光ヘッドとして用いられる。像担持体が図１の感光体ドラム１１０の場合、電気光学装置１Ａは、その長手方向が感光体ドラム１１０の回転軸と略平行となるように配置される。
【００２２】
図５および図６は、それぞれ、電気光学装置１Ａの平面図である。図７は、電気光学装置１Ａの立面図である。図８は、図５〜図７におけるＢ−Ｂ線断面図である。図５および図６に示すように、電気光学装置１Ａは、電気光学モジュール２およびケース３を有する。図７および図８に示すように、電気光学モジュール２は、発光パネル２０、発光パネル２０に重ねられた集束性レンズアレイ６０、および発光パネル２０と集束性レンズアレイ６０に挟まれた光透過性のスペーサ７０を有する。集束性レンズアレイ６０側から見た平面図が図５であり、発光パネル２０側から見た平面図が図６である。
【００２３】
発光パネル２０は、図５に示すように、与えられた電気エネルギにより発光特性が変化する複数のＥＬ素子２１を有する。ＥＬ素子２１は、キャリヤの再結合により励起して発光する発光層を一対の電極で挟んだ構成の有機ＥＬ素子である。これら複数のＥＬ素子２１は、二列かつ千鳥状のパターンで電気光学装置１Ａの長手方向に配列されている。ＥＬ素子２１の配列パターンは、図示の形態に限定されず、単列または三列以上でもよいし他の適切なパターンで配列されていてもよい。
【００２４】
また、発光パネル２０は、図７および図８に示すように、複数のＥＬ素子２１が設けられた素子アレイ層２２と、素子アレイ層２２を間に挟む平板状の素子基板２３および封止基板２４を有し、各ＥＬ素子２１からの光をスペーサ７０側へ射出する。素子基板２３は、ガラスや透明なプラスチックなどの光透過性の材料で形成されている。素子基板２３と素子アレイ層２２の間には、図示しない配線層が形成されている。発光パネル２０には、ＥＬ素子２１を駆動する駆動回路（図示略）が設けられており、上記の配線層には、駆動回路とＥＬ素子２１を接続する配線等の各種の配線が設けられている。また、発光パネル２０には、電気光学装置１Ａの外部のフレキシブル基板８０に設けられた走査回路を上記の駆動回路に接続するための接続ケーブル８１が複数接続されている。
【００２５】
ＥＬ素子２１の各々は、前述の発光層と、この発光層を挟む一対の電極を有し、これら一対の電極間に印加された電圧に応じて発光する。これら一対の電極のうち、素子基板２３側の電極（画素電極）は、ＩＴＯ（Indium Tin Oxide）等の透明電極である。素子アレイ層２２は、全てのＥＬ素子２１について、上記の発光層と上記一対の電極を含んでいる。以上の説明より明らかなように、発光パネル２０は、各ＥＬ素子２１からの光が素子基板２３を透過して出射するボトムエミッション型の発光パネルである。また、素子アレイ層２２は、素子基板２３と封止基板２４を接着する接着剤を含んでいる。
【００２６】
封止基板２４は、例えばガラス、プラスチック、セラミックまたは金属等の適切な材料で形成されており、素子基板２３と協働して、ＥＬ素子２１を外気、特に水分および酸素から隔離してその劣化を抑制する。素子基板２３への封止基板２４の接着の態様は任意である。例えば、素子アレイ層２２内の接着剤が、封止基板２４の周縁部のみに接する形態であってもよいし（缶封止）、封止基板２４の素子基板２３側の全面に接する形態であってもよい（ベタ封止）。
【００２７】
スペーサ７０は、ガラスまたは透明なプラスチックで形成されており、図７に示すように、発光パネル２０から集束性レンズアレイ６０側へ進行する光を透過させる。スペーサ７０の形成材料の屈折率は、素子基板２３の形成材料の屈折率と同じであることが好ましい。スペーサ７０は、発光パネル２０の素子基板２３に、透明接着剤５１により接着されている。透明接着剤５１の屈折率は、素子基板２３の形成材料の屈折率と同じであることが好ましい。
【００２８】
図９は、電気光学装置１Ａの集束性レンズアレイ６０の概略を示す斜視図である。この図に示すように、集束性レンズアレイ６０は、二列かつ千鳥状のパターンで電気光学装置１Ａの長手方向に配列された複数の屈折率分布型レンズ６２を有するレンズアレイ体６１と、電気光学装置１Ａの長手方向に延在する一対のレンズアレイ側体６４および６５を有する。一対のレンズアレイ側体６４および６５は、レンズアレイ体６１を間に挟んでおり、それぞれ、レンズアレイ体６１に接合されている。
【００２９】
レンズアレイ体６１は、発光パネル２０の全てのＥＬ素子２１に重なっている。屈折率分布型レンズ６２の各々は、中心軸での屈折率が低く、中心軸から離れるほど屈折率が高くなるように形成されたグレーデッドインデックス光ファイバであり、図７に示すように、発光パネル２０から進行する光を透過させて発光パネル２０上の像に対する正立像を結像可能である。これら複数の屈折率分布型レンズ６２により、集束性レンズアレイ６０からその像側の作動距離（設計値）Ｌだけ離れた焦点位置ＦＰの面上で得られる像は、１つの連続した像（発光パネル２０上の像の正立像）を構成する。なお、屈折率分布型レンズ６２の配列パターンは、図示の形態に限定されず、単列または三列以上でもよいし他の適切なパターンで配列されていてもよい。
【００３０】
レンズアレイ体６１は、複数の屈折率分布型レンズ６２の間を埋めて複数の屈折率分布型レンズ６２の配列パターンを固定化している充填体６３を含む。また、集束性レンズアレイ６０は、レンズアレイ体６１を電気光学装置１Ａの長手方向において間に挟む一対の先端体６６，６６を有する。一対の先端体６６，６６は、それぞれ、一対のレンズアレイ側体６４および６５間に挟まれており、レンズアレイ体６１、レンズアレイ側体６４およびレンズアレイ側体６５に接合されている。
【００３１】
集束性レンズアレイ６０は、スペーサ７０に、透明接着剤５２により接着されている。透明接着剤５２の屈折率は、素子基板２３の形成材料の屈折率と同じであることが好ましい。以上の説明から明らかなように、電気光学モジュール２は、発光パネル２０、集束性レンズアレイ６０およびスペーサ７０を透明接着剤５１および５２で接着することにより形成される。
【００３２】
電気光学装置１Ａは、画像形成装置において、スペーサ７０と像担持体の間に集束性レンズアレイ６０が介在し、像担持体に鮮明な正立像が結ばれるように配置される。例えば、像担持体が図１の感光体ドラム１１０の場合、電気光学装置１Ａは、集束性レンズアレイ６０と感光体ドラム１１０の距離が上記の作動距離Ｌに一致するように配置される。したがって、電気光学モジュール２の歪みが十分に抑制されていれば、像担持体における結像位置ＩＰと焦点位置ＦＰのズレが十分に小さくなるから、像担持体における結像の光学特性（例えば鮮明度）は十分に良好となる。なお、集束性レンズアレイ６０としては、日本板硝子株式会社から入手可能なＳＬＡ(セルフォック・レンズ・アレイ)を例示することができる。
【００３３】
ケース３は、電気光学モジュール２を収容するためのものであり、図５、図６および図８に示すように、部品３０と、部品３０とは別体の部品４０から構成されている。電気光学装置１Ａは、電気光学モジュール２に、部品３０および部品４０を取り付けることにより製造される。部品３０および部品４０は、それぞれ、十分に大きな弾性力および遮光性を有する弾性体であり、例えば、金属またはＦＲＰ（繊維強化プラスチック）で形成されている。部品３０の形成材料と部品４０の形成材料は同一であっても異なっていてもよい。
【００３４】
図１０は、部品３０の外観を示す斜視図である。部品３０は、第１接触面Ｓ１に接している第１部３１と、第２接触面Ｓ２に接している第２部３２と、両者をつなぐ接続部３３を有する。つまり、第１部３１、第２部３２および接続部３３は一体であり、相互に対応している。第１接触面Ｓ１は、集束性レンズアレイ６０の面のうち、スペーサ７０側の面の反対側の面である。第２接触面Ｓ２は、発光パネル２０の面のうち、スペーサ７０側の面の反対側の面であり、封止基板２４の面である。
【００３５】
第１部３１および第２部３２は、それぞれ、電気光学装置１Ａの長手方向に延在している。図５に示すように、第１接触面Ｓ１のうち、第１部３１に接している第１接触領域Ｓ１１は、電気光学装置１Ａの長手方向に延在している。図６に示すように、第２接触面Ｓ２のうち、第２部３２に接している第２接触領域Ｓ２１は、電気光学装置１Ａの長手方向に延在している。第１部３１と第２部３２の間隔は、部品３０の製造時には図８の上下方向における電気光学モジュール２の長さよりも僅かに狭く、部品３０の電気光学モジュール２への取り付け時には、弾性変形の範囲内で僅かに広げられる。このため、第１部３１および第２部３２が接続部３３（部品３０）の弾性力によってスペーサ７０側へ付勢され、電気光学モジュール２が部品３０に挟み込まれているのである。
【００３６】
図１１は、部品４０の外観を示す斜視図である。部品４０は、第１接触面Ｓ１に接している第１部４１と、第２接触面Ｓ２に接している第２部４２と、両者をつなぐ接続部４３を有する。つまり、第２部４１、第２部４２および接続部４３は一体であり、相互に対応している。第１部４１および第２部４２は、それぞれ、電気光学装置１Ａの長手方向に延在している。図５に示すように、第１接触面Ｓ１のうち、第１部４１に接している第１接触領域Ｓ１２は、電気光学装置１Ａの長手方向に延在している。図６に示すように、第２接触面Ｓ２のうち、第２部４２に接している第２接触領域Ｓ２２は、電気光学装置１Ａの長手方向に並ぶ複数の領域から構成されている。部品４０の製造および電気光学モジュール２への取り付けは、部品３０のそれと同様である。つまり、第１部４１および第２部４２は接続部４３（部品４０）の弾性力によってスペーサ７０側へ付勢され、電気光学モジュール２は部品４０に挟み込まれている。
【００３７】
図５および図８に示すように、部品３０の第１部３１は、電気光学モジュール２のうち、レンズアレイ側体６４のみに接している。つまり、第１接触領域Ｓ１１は、第１接触面Ｓ１においてレンズアレイ側体６４に占められる領域の一部でもある。また、部品４０の第１部４１は、電気光学モジュール２のうち、レンズアレイ側体６５のみに接している。つまり、第１接触領域Ｓ１２は、第１接触面Ｓ１においてレンズアレイ側体６５に占められる領域の一部でもある。一方、図６および図８に示すように、部品３０の第２部３２および部品４０の第２部４２は、それぞれ、電気光学モジュール２のうち、封止基板２４のみに接している。
【００３８】
また、図５〜図８、図１０および図１１に示すように、部品３０の形状および部品４０の形状は、ＥＬ素子２１から発して屈折率分布型レンズ６２を透過した光がケース３に遮られず、かつ、電気光学モジュール２の大部分がケース３に覆われるように定められている。したがって、発光パネル２０から出射して進行する光は、透明接着剤５１、スペーサ７０、透明接着剤５２および屈折率分布型レンズ６２を順に透過し、像担持体に到達して像を結ぶ。なお、上記の光を遮らないにも関わらずにケース３に覆われていない部分としては、接続ケーブル８１の周辺の部分がある。これは、発光パネル２０に接続ケーブル８１を接続した後に部品４０を電気光学モジュール２に取り付けることができるように第２部４２の形状が定められているからである。これが、第２接触領域Ｓ２２が不連続な領域となっている理由である。
【００３９】
＜効果＞
上述したように、電気光学装置１Ａは、電気光学モジュール２とケース３とを備え、ケース３は、集束性レンズアレイ６０のスペーサ７０とは反対側の第１接触面Ｓ１に接している第１部３１，４１と、電気光学パネル２０のスペーサ７０とは反対側の第２接触面Ｓ２に接している第２部３２，４２と、第１部３１，４１および第２部３２，４２をスペーサ７０側へ付勢する付勢部３３，４３とを有する。この電気光学装置１Ａによれば、集束性レンズアレイ６０および電気光学パネル２０がそれぞれスペーサ７０側へ押し付けられるから、電気光学モジュール２の歪み（変形）を十分に抑制することができる。
【００４０】
電気光学装置１Ａにより抑制される歪みとしては、ＥＬ素子２１等の電気光学モジュール２内の要素の発熱や画像形成装置の定着器等の電気光学モジュール２外の要素の発熱に伴う電気光学モジュール２内の温度変化による歪みや、電気光学パネル２０や、スペーサ７０、集束性レンズアレイ６０の製造誤差による歪み、電気光学モジュール２の製造工程における透明接着剤５１や透明接着剤５１の硬化応力による歪みを例示することができる。
【００４１】
また、電気光学装置１Ａによれば、第１接触領域Ｓ１１，Ｓ１２および第２接触領域Ｓ２１，Ｓ２２が、それぞれ、電気光学装置１Ａの長手方向に沿って続いているから、そうでない形態に比較して、電気光学モジュール２の反りを、より確実に、抑制することができる。また、電気光学装置１Ａによれば、第１接触領域Ｓ１１と第１接触領域Ｓ１２が、レンズアレイ体６１を挟んで対向しており、第２接触領域Ｓ２１と第２接触領域Ｓ２２が、レンズアレイ体６１を挟んで対向しているから、そうでない形態に比較して、電気光学モジュール２のうねりを、より確実に、抑制することができる。
【００４２】
また、電気光学装置１Ａでは、第１部３１と第２部３２と付勢部３３は一体であり、付勢部３３は、弾性体を含み、弾性体の弾性力によって第１部３１および第２部３２がスペーサ７０側へ付勢される。より具体的には、第１部３１と第２部３２と付勢部３３は同一の弾性体の一部となっている。また、電気光学装置１Ａでは、第１部４１と第２部４２と付勢部４３は一体であり、付勢部４３は、弾性体を含み、弾性体の弾性力によって第１部４１および第２部４２がスペーサ７０側へ付勢される。より具体的には、第１部４１と第２部４２と付勢部４３は同一の弾性体の一部となっている。以上より明らかなように、電気光学装置１Ａには、ケースの構造が簡素である、という利点がある。また、電気光学装置１Ａによれば、ケース３が遮光性を有するから、専用の遮光部を設けることなく、集束性レンズアレイ６０の屈折率分布型レンズへの不要光（ＥＬ素子２１からの光以外の光）の入射を防止することができる。
【００４３】
＜第２の実施の形態＞
次に、本発明の第１の実施の形態に係る電気光学装置１Ｂについて説明する。この電気光学装置１Ｂでは、集束性レンズアレイに接する第１部と、電気光学パネルに接する第２部と、両部をスペーサ側へ付勢する付勢部が、それぞれ別体になっている。付勢部は、第１部と第２部とを締結する締結具を有し、この締結具による締結によって、第１部および第２部をスペーサ側へ付勢する。以下、詳細に説明する。
【００４４】
＜構成＞
電気光学装置１Ｂは、一方向に長い装置であり、電子写真方式を利用した画像形成装置における像担持体に潜像を書き込むためのライン型の光ヘッドとして用いられる。像担持体が図１の感光体ドラム１１０の場合、電気光学装置１Ｂは、その長手方向が感光体ドラム１１０の回転軸と略平行となるように配置される。
【００４５】
図１２は、電気光学装置１Ｂの断面図である。この図に示すように、電気光学装置１Ｂは、電気光学モジュール２およびケース４を有する。電気光学装置１Ｂは、画像形成装置において、電気光学モジュール２のスペーサ７０と像担持体の間に電気光学モジュール２の集束性レンズアレイ６０が介在し、像担持体に鮮明な正立像が結ばれるように配置される。したがって、電気光学モジュール２の歪みが十分に抑制されていれば、像担持体における結像位置ＩＰと焦点位置ＦＰのズレが十分に小さくなるから、像担持体における結像の光学特性は十分に良好となる。
【００４６】
ケース４は、電気光学モジュール２を収容するためのものであり、部品（第１部）５１と、部品５１とは別体の平板状の部品（第２部）５２と、部品５１と部品５２とを締結する複数のネジ（締結具）５３を有する。部品５１および部品５２は、それぞれ、遮光性を有し、電気光学装置１Ｂの長手方向に延在している。部品５１の形成材料と部品５２の形成材料は同一であっても異なっていてもよい。部品５１は第１接触面Ｓ１に接し、部品５２は第２接触面Ｓ２に接する。両部品は、電気光学モジュール２の製造工程におけるネジ５３の締結によってスペーサ７０側へ付勢される。
【００４７】
第１接触面Ｓ１のうち、部品５１に接している第１接触領域は、電気光学装置１Ｂの長手方向に延在しており、第１接触面Ｓ１において、レンズアレイ体６１に占められる部分を囲んでいる。つまり、部品５１は、レンズアレイ側体６４および６５のみならず、図９における一対の先端体６６，６６にも接している。一方、第２接触面Ｓ２のうち、部品５２に接している第２接触領域は、第２接触面Ｓ２の略全面であり、電気光学装置１Ｂの長手方向に延在している。第２接触面Ｓ２の全面を第２接触領域としないのは、接続ケーブル８１を取り出すためである。
【００４８】
部品５１の形状は、ＥＬ素子２１から発して屈折率分布型レンズ６２を透過した光がケース４に遮られず、かつ、電気光学モジュール２の大部分がケース４に覆われるように定められている。したがって、発光パネル２０から出射して進行する光は、透明接着剤５１、スペーサ７０、透明接着剤５２および屈折率分布型レンズ６２を順に透過し、像担持体に到達して像を結ぶ。
【００４９】
＜効果＞
上述したように、電気光学装置１Ｂは、電気光学モジュール２とケース４とを備え、ケース４は、集束性レンズアレイ６０のスペーサ７０とは反対側の第１接触面Ｓ１に接している部品５１と、電気光学パネル２０のスペーサ７０とは反対側の第２接触面Ｓ２に接している部品５２と、部品５１および部品５２をスペーサ７０側へ付勢する付勢部（締結具（複数のネジ５３）を含む）とを有する。この電気光学装置１Ｂによれば、集束性レンズアレイ６０および電気光学パネル２０がそれぞれスペーサ７０側へ押し付けられるから、電気光学モジュール２の歪みを十分に抑制することができる。
【００５０】
また、電気光学装置１Ｂによれば、第１接触領域および第２接触領域が、それぞれ、電気光学装置１Ｂの長手方向に沿って続いているから、そうでない形態に比較して、電気光学モジュール２の反りを、より確実に、抑制することができる。また、電気光学装置１Ｂによれば、第１接触領域が、レンズアレイ体６１を挟んで対向する領域を含み、第２接触領域がレンズアレイ体６１を挟んで対向する領域を含むから、そうでない形態に比較して、電気光学モジュール２のうねりを、より確実に、抑制することができる。
【００５１】
また、電気光学装置１Ｂでは、締結具（複数のネジ５３）による部品５１と部品５２との締結によって、集束性レンズアレイ６０および電気光学パネル２０がそれぞれスペーサ７０側へ押し付けられる。したがって、電気光学装置１Ｂには、電気光学装置１Ａに比較して、部品５１の形成材料および部品５２の形成材料の選択の自由度が高いという利点や、電気光学モジュール２をケースに収容する作業や、電気光学モジュール２をケースから取り出す作業が容易であるという利点がある。また、電気光学装置１Ｂによれば、ケース４が遮光性を有するから、専用の遮光部を設けることなく、集束性レンズアレイ６０の屈折率分布型レンズへの不要光の入射を防止することができる。
【００５２】
なお、電気光学装置１Ｂでは、発光パネル２０に接する部品５２が集束性レンズアレイ６０に接する部品５１の外蓋となる構造のケース４を採用したが、発光パネル２０に接する部品が、集束性レンズアレイ６０に接する部品の内蓋となる構造のケースを採用してもよい。この場合には、これらの部品で電気光学モジュール２を挟み込み、発光パネル２０および集束性レンズアレイ６０をスペーサ７０側に付勢した状態で、締結具による締結を行うことになる。
【００５３】
＜第３の実施の形態＞
次に、本発明の第３の実施の形態に係る電気光学装置１Ｃについて説明する。この電気光学装置１Ｃでは、集束性レンズアレイに接する第１部と、電気光学パネルに接する第２部と、両部をスペーサ側へ付勢する付勢部が、それぞれ別体になっている。付勢部は、弾性体を有し、この弾性体の弾性力によって、第１部および第２部をスペーサ側へ付勢する。以下、詳細に説明する。
【００５４】
＜構成＞
電気光学装置１Ｃは、一方向に長い装置であり、電子写真方式を利用した画像形成装置における像担持体に潜像を書き込むためのライン型の光ヘッドとして用いられる。像担持体が図１の感光体ドラム１１０の場合、電気光学装置１Ｃは、その長手方向が感光体ドラム１１０の回転軸と略平行となるように配置される。
【００５５】
図１３は、電気光学装置１Ｃの断面図である。この図に示すように、電気光学装置１Ｃは、電気光学モジュール２およびケース５を有する。電気光学装置１Ｃは、画像形成装置において、電気光学モジュール２のスペーサ７０と像担持体の間に電気光学モジュール２の集束性レンズアレイ６０が介在し、像担持体に鮮明な正立像が結ばれるように配置される。したがって、電気光学モジュール２の歪みが十分に抑制されていれば、像担持体における結像位置ＩＰと焦点位置ＦＰのズレが十分に小さくなるから、像担持体における結像の光学特性は十分に良好となる。
【００５６】
ケース５は、電気光学モジュール２を収容するためのものであり、部品（第１部）５４と、部品５４とは別体の平板状の部品（第２部）５５と、部品５４と部品５５とに架け渡された複数のバネ（弾性体）５６を有する。なお、弾性体として、バネに代えてゴムを用いてもよい。部品５４および部品５５は、それぞれ、遮光性を有し、電気光学装置１Ｃの長手方向に延在している。部品５４の形成材料と部品５５の形成材料は同一であっても異なっていてもよい。部品５４は第１接触面Ｓ１に接し、部品５５は第２接触面Ｓ２に接する。両部品は、電気光学モジュール２の製造工程において両部品間に架け渡された複数のバネ５６の弾性力によってスペーサ７０側へ付勢される。
【００５７】
第１接触面Ｓ１のうち、部品５４に接している第１接触領域の形状および寸法は、電気光学装置１Ｂにおける第１接触領域の形状および寸法と同一である。第２接触面Ｓ２のうち、部品５５に接している第２接触領域の形状および寸法は、電気光学装置１Ｂにおける第１接触領域の形状および寸法と同一である。部品５４の形状は、ＥＬ素子２１から発して屈折率分布型レンズ６２を透過した光がケース５に遮られず、かつ、電気光学モジュール２の大部分がケース５に覆われるように定められている。したがって、発光パネル２０から出射して進行する光は、透明接着剤５１、スペーサ７０、透明接着剤５２および屈折率分布型レンズ６２を順に透過し、像担持体に到達して像を結ぶ。
【００５８】
＜効果＞
上述したように、電気光学装置１Ｃは、電気光学モジュール２とケース５とを備え、ケース５は、集束性レンズアレイ６０のスペーサ７０とは反対側の第１接触面Ｓ１に接している部品５４と、電気光学パネル２０のスペーサ７０とは反対側の第２接触面Ｓ２に接している部品５５と、部品５４および部品５５をスペーサ７０側へ付勢する付勢部（弾性体（複数のバネ５６）を含む）とを有する。この電気光学装置１Ｃによれば、集束性レンズアレイ６０および電気光学パネル２０がそれぞれスペーサ７０側へ押し付けられるから、電気光学モジュール２の歪みを十分に抑制することができる。
【００５９】
また、電気光学装置１Ｃによれば、第１接触領域および第２接触領域が、それぞれ、電気光学装置１Ｃの長手方向に沿って続いているから、そうでない形態に比較して、電気光学モジュール２の反りを、より確実に、抑制することができる。また、電気光学装置１Ｃによれば、第１接触領域が、レンズアレイ体６１を挟んで対向する領域を含み、第２接触領域がレンズアレイ体６１を挟んで対向する領域を含むから、そうでない形態に比較して、電気光学モジュール２のうねりを、より確実に、抑制することができる。
【００６０】
また、電気光学装置１Ｃでは、弾性体（複数のバネ５６）による部品５４と部品５５との締結によって、集束性レンズアレイ６０および電気光学パネル２０がそれぞれスペーサ７０側へ押し付けられる。したがって、電気光学装置１Ｃには、電気光学装置１Ａに比較して、部品５４の形成材料および部品５５の形成材料の選択の自由度が高いという利点や、電気光学モジュール２をケースに収容する作業や、電気光学モジュール２をケースから取り出す作業が容易であるという利点がある。また、電気光学装置１Ｃによれば、ケース５が遮光性を有するから、専用の遮光部を設けることなく、集束性レンズアレイ６０の屈折率分布型レンズへの不要光の入射を防止することができる。
【００６１】
なお、電気光学装置１Ｃでは、発光パネル２０に接する部品５５が集束性レンズアレイ６０に接する部品５４の内蓋となる構造のケース５を採用したが、発光パネル２０に接する部品が集束性レンズアレイ６０に接する部品の外蓋となる構造のケースを採用してもよい。この場合、弾性体（複数のバネ５６）が、部品５４と部品５５とで画定される空間内に配置される構造であっても、当該空間外に配置される構造であってもよい。
【００６２】
また、電気光学装置１Ｃでは、弾性体（バネ５６）が縮もうとする力を付勢に利用する構造のケースを採用しているが、弾性体が伸びようとする力を付勢に利用する構造のケースを採用してもよい。また、弾性体が縮もうとする力を付勢に利用する構造のケースとしては、図１３に示す構造のケースの他に図１４に示す構造のケース６を例示することができる。ケース６は、集束性レンズアレイ６０に接する２つの部品（第１部）５７と、発光パネル２０に接する２つの部品（第２部）５８を有し、一方の部品５７と一方の部品５８が同一の軸で支持され、他方の部品５７と他方の部品５８が別の同一の軸で支持されている。
【００６３】
＜画像形成装置＞
本発明の実施の形態またはその変形例に係る電気光学装置は、それぞれ、電子写真方式を利用した画像形成装置における像担持体に潜像を書き込むためのライン型の光ヘッドとして用いることが可能である。画像形成装置の例としては、プリンタ、複写機の印刷部分およびファクシミリの印刷部分がある。
【００６４】
図１５は、本発明の実施の形態に係る画像形成装置の縦断面図である。この画像形成装置は、ベルト中間転写体方式を利用したタンデム型のフルカラー画像形成装置である。この画像形成装置では、同様な構成の４個の光ヘッド１０Ｋ，１０Ｃ，１０Ｍ，１０Ｙが、同様な構成である４個の感光体ドラム（像担持体）１１０Ｋ，１１０Ｃ，１１０Ｍ，１１０Ｙの露光位置にそれぞれ配置されている。光ヘッド１０Ｋ，１０Ｃ，１０Ｍ，１０Ｙは、本発明の実施の形態またはその変形例に係る電気光学装置である。
【００６５】
図に示すように、この画像形成装置には、駆動ローラ１２１と従動ローラ１２２が設けられており、これらのローラ１２１，１２２には無端の中間転写ベルト１２０が巻回されて、矢印に示すようにローラ１２１，１２２の周囲を回転させられる。図示しないが、中間転写ベルト１２０に張力を与えるテンションローラなどの張力付与手段を設けてもよい。
【００６６】
この中間転写ベルト１２０の周囲には、互いに所定間隔をおいて４個の外周面に感光層を有する感光体ドラム１１０Ｋ，１１０Ｃ，１１０Ｍ，１１０Ｙが配置される。添え字Ｋ，Ｃ，Ｍ，Ｙはそれぞれ黒、シアン、マゼンタ、イエローの顕像を形成するために使用されることを意味している。他の部材についても同様である。感光体ドラム１１０Ｋ，１１０Ｃ，１１０Ｍ，１１０Ｙは、中間転写ベルト１２０の駆動と同期して回転駆動される。
【００６７】
各感光体ドラム１１０（Ｋ，Ｃ，Ｍ，Ｙ）の周囲には、コロナ帯電器１１１（Ｋ，Ｃ，Ｍ，Ｙ）と、光ヘッド１０（Ｋ，Ｃ，Ｍ，Ｙ）と、現像器１１４（Ｋ，Ｃ，Ｍ，Ｙ）が配置されている。コロナ帯電器１１１（Ｋ，Ｃ，Ｍ，Ｙ）は、対応する感光体ドラム１１０（Ｋ，Ｃ，Ｍ，Ｙ）の外周面を一様に帯電させる。光ヘッド１０（Ｋ，Ｃ，Ｍ，Ｙ）は、感光体ドラムの帯電させられた外周面に静電潜像を書き込む。各光ヘッド１０（Ｋ，Ｃ，Ｍ，Ｙ）は、複数のＯＬＥＤ素子１４の配列方向が感光体ドラム１１０（Ｋ，Ｃ，Ｍ，Ｙ）の母線（主走査方向）に沿うように設置される。静電潜像の書き込みは、上記の複数のＯＬＥＤ素子１４により光を感光体ドラムに照射することにより行う。現像器１１４（Ｋ，Ｃ，Ｍ，Ｙ）は、静電潜像に現像剤としてのトナーを付着させることにより感光体ドラムに顕像すなわち可視像を形成する。
【００６８】
このような４色の単色顕像形成ステーションにより形成された黒、シアン、マゼンタ、イエローの各顕像は、中間転写ベルト１２０上に順次一次転写されることにより、中間転写ベルト１２０上で重ね合わされて、この結果フルカラーの顕像が得られる。中間転写ベルト１２０の内側には、４つの一次転写コロトロン（転写器）１１２（Ｋ，Ｃ，Ｍ，Ｙ）が配置されている。一次転写コロトロン１１２（Ｋ，Ｃ，Ｍ，Ｙ）は、感光体ドラム１１０（Ｋ，Ｃ，Ｍ，Ｙ）の近傍にそれぞれ配置されており、感光体ドラム１１０（Ｋ，Ｃ，Ｍ，Ｙ）から顕像を静電的に吸引することにより、感光体ドラムと一次転写コロトロンの間を通過する中間転写ベルト１２０に顕像を転写する。
【００６９】
最終的に画像を形成する対象としてのシート１０２は、ピックアップローラ１０３によって、給紙カセット１０１から１枚ずつ給送されて、駆動ローラ１２１に接した中間転写ベルト１２０と二次転写ローラ１２６の間のニップに送られる。中間転写ベルト１２０上のフルカラーの顕像は、二次転写ローラ１２６によってシート１０２の片面に一括して二次転写され、定着部である定着ローラ対１２７を通ることでシート１０２上に定着される。この後、シート１０２は、排紙ローラ対１２８によって、装置上部に形成された排紙カセット上へ排出される。
【００７０】
図１６は、本発明の実施の形態に係る他の画像形成装置の縦断面図である。この画像形成装置は、ベルト中間転写体方式を利用したロータリ現像式のフルカラー画像形成装置である。この図に示す画像形成装置において、感光体ドラム（像担持体）１６５の周囲には、コロナ帯電器１６８、ロータリ式の現像ユニット１６１、光ヘッド１６７、中間転写ベルト１６９が設けられている。光ヘッド１６７は、本発明の実施の形態またはその変形例に係る電気光学装置である。
【００７１】
コロナ帯電器１６８は、感光体ドラム１６５の外周面を一様に帯電させる。光ヘッド１６７は、感光体ドラム１６５の帯電させられた外周面に静電潜像を書き込む。光ヘッド１６７は、電気光学装置またはその変形例に係る電気光学装置であり、複数の発光素子１４の配列方向が感光体ドラム１６５の母線（主走査方向）に沿うように設置される。静電潜像の書き込みは、上記の複数の発光素子１４により光を感光体ドラムに照射することにより行う。
【００７２】
現像ユニット１６１は、４つの現像器１６３Ｙ，１６３Ｃ，１６３Ｍ，１６３Ｋが９０°の角間隔をおいて配置されたドラムであり、軸１６１ａを中心にして反時計回りに回転可能である。現像器１６３Ｙ，１６３Ｃ，１６３Ｍ，１６３Ｋは、それぞれイエロー、シアン、マゼンタ、黒のトナーを感光体ドラム１６５に供給して、静電潜像に現像剤としてのトナーを付着させることにより感光体ドラム１６５に顕像すなわち可視像を形成する。
【００７３】
無端の中間転写ベルト１６９は、駆動ローラ１７０ａ、従動ローラ１７０ｂ、一次転写ローラ１６６およびテンションローラに巻回されて、これらのローラの周囲を矢印に示す向きに回転させられる。一次転写ローラ１６６は、感光体ドラム１６５から顕像を静電的に吸引することにより、感光体ドラムと一次転写ローラ１６６の間を通過する中間転写ベルト１６９に顕像を転写する。
【００７４】
具体的には、感光体ドラム１６５の最初の１回転で、光ヘッド１６７によりイエロー（Ｙ）像のための静電潜像が書き込まれて現像器１６３Ｙにより同色の顕像が形成され、さらに中間転写ベルト１６９に転写される。また、次の１回転で、光ヘッド１６７によりシアン（Ｃ）像のための静電潜像が書き込まれて現像器１６３Ｃにより同色の顕像が形成され、イエローの顕像に重なり合うように中間転写ベルト１６９に転写される。そして、このようにして感光体ドラム９が４回転する間に、イエロー、シアン、マゼンタ、黒の顕像が中間転写ベルト１６９に順次重ね合わせられ、この結果フルカラーの顕像が転写ベルト１６９上に形成される。最終的に画像を形成する対象としてのシートの両面に画像を形成する場合には、中間転写ベルト１６９に表面と裏面の同色の顕像を転写し、次に中間転写ベルト１６９に表面と裏面の次の色の顕像を転写する形式で、フルカラーの顕像を中間転写ベルト１６９上で得る。
【００７５】
画像形成装置には、シートが通過させられるシート搬送路１７４が設けられている。シートは、給紙カセット１７８から、ピックアップローラ１７９によって１枚ずつ取り出され、搬送ローラによってシート搬送路１７４を進行させられ、駆動ローラ１７０ａに接した中間転写ベルト１６９と二次転写ローラ１７１の間のニップを通過する。二次転写ローラ１７１は、中間転写ベルト１６９からフルカラーの顕像を一括して静電的に吸引することにより、シートの片面に顕像を転写する。二次転写ローラ１７１は、図示しないクラッチにより中間転写ベルト１６９に接近および離間させられるようになっている。そして、シートにフルカラーの顕像を転写する時に二次転写ローラ１７１は中間転写ベルト１６９に当接させられ、中間転写ベルト１６９に顕像を重ねている間は二次転写ローラ１７１から離される。
【００７６】
上記のようにして画像が転写されたシートは定着器１７２に搬送され、定着器１７２の加熱ローラ１７２ａと加圧ローラ１７２ｂの間を通過させられることにより、シート上の顕像が定着する。定着処理後のシートは、排紙ローラ対１７６に引き込まれて矢印Ｆの向きに進行する。両面印刷の場合には、シートの大部分が排紙ローラ対１７６を通過した後、排紙ローラ対１７６が逆方向に回転させられ、矢印Ｇで示すように両面印刷用搬送路１７５に導入される。そして、二次転写ローラ１７１により顕像がシートの他面に転写され、再度定着器１７２で定着処理が行われた後、排紙ローラ対１７６でシートが排出される。
【００７７】
上述した画像形成装置によれば、光ヘッドとして、本発明の実施の形態またはその変形例に係る電気光学装置を用いているから、光ヘッドの温度変化によって結像の光学特性（例えば結像性能）が著しく悪化してしまう事態を回避することができる。したがって、安定して高い品質で画像を形成することができる。
【００７８】
以上、本発明の実施の形態またはその変形例に係る電気光学装置のいずれかを応用可能な画像形成装置を例示したが、他の電子写真方式の画像形成装置にも、本発明の実施の形態またはその変形例に係る電気光学装置のいずれかを応用することが可能であり、そのような画像形成装置は本発明の範囲内にある。例えば、中間転写ベルトを使用せずに感光体ドラムから直接シートに顕像を転写するタイプの画像形成装置や、モノクロの画像を形成する画像形成装置である。
【００７９】
＜他の変形＞
上述した実施の形態では、スペーサ７０と集束性レンズアレイ６０との間に透明接着剤５２が介在する構造を採ったが、透明接着剤５２に代えて光透過性のオイルを用いる構造を採り、発光パネル２０に接する第１部と集束性レンズアレイ６０に接する第２部による付勢によって、発光パネル２０とスペーサ７０と集束性レンズアレイ６０の相対位置を固定化する形態としてもよい。この形態によれば、電気光学モジュールから集束性レンズアレイ６０を取り外すことが容易となる。したがって、例えば、発光パネル２０の交換が必要となったときに、集束性レンズアレイ６０まで交換せずに済む、という利点がある。つまり、集束性レンズアレイ６０の再利用性が向上する。
【００８０】
上述した実施の形態では、第１接触面Ｓ１内の第１部に接している領域および第２接触面Ｓ２内の第２部に接している領域が電気光学モジュールの長手方向に沿って続いているが、これらの領域のいずれか一方のみが電気光学モジュールの長手方向に沿って続いているようにしてもよい。また、上述した実施の形態では、遮光性を有するケースを採用したが、遮光性を持たないケースを採用してもよい。
【００８１】
上述した実施の形態では、各ＥＬ素子２１から発せられた光が素子基板２３を透過して出射するボトムエミッションタイプの発光パネル２０を用いるようにしたが、これとは逆の方向に光が出射するトップエミッションタイプの発光パネルを用いるようにしてもよい。この場合、各ＥＬ素子から発して封止基板側へ進行する光が遮られないように各部の光透過性が定められ、第２部には素子基板が接することになる。
【００８２】
また、上述した実施の形態では、与えられた電気エネルギにより発光特性または光の透過特性が変化する複数の電気光学素子として、キャリヤの再結合による励起を必須とする有機ＥＬ素子を採用したが、キャリヤの再結合を必須としない発光素子（例えば無機ＥＬ素子）や、励起を必須としない発光素子（例えば無機ＬＥＤ）、与えられた電気エネルギにより光の透過特性が変化するライトバルブ素子（例えば液晶素子）を採用してもよい。
【図面の簡単な説明】
【００８３】
【図１】従来の画像形成装置の一部の概略を示す斜視図である。
【図２】従来の画像形成装置の一部の概略を示す側面図である。
【図３】図２のＡ−Ａ線断面図である。
【図４】従来の画像形成装置の問題点を説明するための側面図である。
【図５】本発明の第１の実施の形態に係る電気光学装置１Ａの平面図（集束性レンズアレイ６０側）である。
【図６】電気光学装置１Ａの平面図（発光パネル２０側）である。
【図７】電気光学装置１Ａの側面図（部品４０側）である。
【図８】図５ないし図７のＢ−Ｂ線断面図である。
【図９】電気光学装置１Ａの集束性レンズアレイ６０の概略を示す斜視図である。
【図１０】電気光学装置１Ａの部品３０の斜視図である。
【図１１】電気光学装置１Ａの部品４０の斜視図である。
【図１２】本発明の第２の実施の形態に係る電気光学装置１Ｂの断面図である。
【図１３】本発明の第３の実施の形態に係る電気光学装置１Ｃの断面図である。
【図１４】電気光学装置１Ｃの変形例に係る電気光学装置１Ｄの断面図である。
【図１５】本発明の実施の形態に係る画像形成装置の一例を示す縦断面図である。
【図１６】本発明の実施の形態に係る画像形成装置の他の例を示す縦断面図である。
【符号の説明】
【００８４】
１Ａ〜１Ｄ…電気光学装置、２…電気光学モジュール、２０…発光パネル（電気光学パネル）、２１…ＥＬ素子（電気光学素子）、３〜５…ケース、６０…集束性レンズアレイ、６１…レンズアレイ体、６２…屈折率分布型レンズ、６４，６５…レンズアレイ側体、７０…スペーサ、１１０，１６５…感光体ドラム（像担持体）、１１１，１６８…コロナ帯電器（帯電器）、１１４，１６３…現像器、１１２…一次転写コロトロン（転写器）、１６６…一次転写ローラ（転写器）、１０Ｋ，１０Ｃ，１０Ｍ，１０Ｙ，１６７…光ヘッド（電気光学装置）。
【図１】
2008149463.tif 000003
【図２】
2008149463.tif 000004
【図３】
2008149463.tif 000005
【図４】
2008149463.tif 000006
【図５】
2008149463.tif 000007
【図６】
2008149463.tif 000008
【図７】
2008149463.tif 000009
【図８】
2008149463.tif 000010
【図９】
2008149463.tif 000011
【図１０】
2008149463.tif 000012
【図１１】
2008149463.tif 000013
【図１２】
2008149463.tif 000014
【図１３】
2008149463.tif 000015
【図１４】
2008149463.tif 000016
【図１５】
2008149463.tif 000017
【図１６】
2008149463.tif 000018